(57)【要約】【課題】先端をヘッド内筒とした嵌挿筒を、ノズルヘッド内に正確に位置合わせして容易に嵌挿できるようにしたノズル部材を具えたスプレーノズルを提供すること。【解決手段】頂壁に噴出孔を具えたノズルヘッドと、ノズルヘッドから垂下し、中空室を設けた連結筒と、ノズル外装部材とを具えたスプレーノズルであって、連結筒の中空室に、先端をヘッド内筒とした円筒状の嵌挿筒をヘッド内筒上端がノズルヘッド頂壁に当接するよう嵌挿したことを特徴とする。【選択図】　　　　図１
2004033830.tif 000002
【特許請求の範囲】
【請求項１】
頂壁に噴出孔を具えたノズルヘッドと、ノズルヘッドから垂下し、中空室を設けた連結筒と、ノズル外装部材とを具えたスプレーノズルであって、
連結筒の中空室に、先端をヘッド内筒とした円筒状の嵌挿筒をヘッド内筒上端がノズルヘッド頂壁に当接するよう嵌挿したことを特徴とするスプレーノズル。
【発明の詳細な説明】
【０００１】
【発明の属する技術分野】
本発明は、スプレーノズル、とくに先端をヘッド内筒とした嵌挿筒を嵌挿したノズル部材の連結筒を具えたスプレーノズルに関する。
【０００２】
【従来の技術】
ノズルの中空部（１６）にインサートピン（５）を嵌挿したノズル部材は、特開２００１−７９０８９号公報に記載されているように従来より公知である。
上記公報には、中空部（１６）の先端部に段部（１９）を境として中空小径部（１７）を設け、インサートピン（５）の先端に段部（２６）を境として小径部（２４）を設けて、インサートピン（５）の段部（２６）が中空部（１６）の段部（１９）に当接するように嵌挿した第１実施例と、中空部（１６）の先端部に中空テーパー部（５１）を形成し、インサートピン（５）の先端にテーパ部（５３）を形成し、インサートピン（５）のテーパ部（５３）を中空テーパ部（５１）のテーパ面に当接するように嵌挿した第２実施例の二つの技術が記載されている。
【０００３】
【発明が解決しようとする課題】
上記第１実施例として記載された技術は、中空部（１６）とインサートピン（５）とをそれぞれの段部（１９）（２６）を当接させることによって位置決めしている。
そのため、中空部（１６）の段部（１９）位置と中空小径部（１７）の形状、およびインサートピン（５）の段部（２６）の位置と小径部（２４）の形状を、それぞれ正確に成形しなければならず、いずれか一方でも成形不良や寸法誤差を生じると段部の位置合わせ精度が正確でなくなり、中空部（１６）の端面とインサートピン（５）の端面との間に寸法誤差が生じてノズルの噴出流路が正確に形成されないという問題があった。
【０００４】
また、第２実施形態として記載された技術は、中空部（１６）の中空テーパ部（５１）とインサートピン（５）のテーパ部（５３）とをそれぞれのテーパ面を当接させることによって位置決めしている。
そのため、中空テーパ部（５１）とインサートピン（５）のテーパ部（５３）のテーパ面の始端位置と、テーパ面の傾斜角度を正確に成形しなければならず、いずれか一方でも成形不良や寸法誤差が生じると、両者を正確に位置合わせ、当接することができないという問題が生じ、ノズルの噴出流路が正確に形成されなくなるという問題があった。
【０００５】
本発明は、上記の問題点を解決することを課題とし、先端をヘッド内筒とした嵌挿筒を、ノズルヘッド内に正確に位置合わせして容易に嵌挿できるようにしたノズル部材を具えたスプレーノズルを提供することを目的とする。
【０００６】
【課題を解決するための手段】
本発明は、上記の課題を解決するため、スプレーノズルとして、頂壁に噴出孔を具えたノズルヘッドと、ノズルヘッドから垂下し、中空室を設けた連結筒と、ノズル外装部材とを具えたスプレーノズルであって、連結筒の中空室に、先端をヘッド内筒とした円筒状の嵌挿筒をヘッド内筒上端がノズルヘッド頂壁に当接するよう嵌挿したことを特徴とする構成を採用する。
【０００７】
【発明の実施の形態】
次に、本発明スプレーノズルの実施形態について、図面を参照して説明する。図１において、Ａは取付キャップ、Ｂは取付キャップＡに装着されたポンプ、Ｃはノズル部材、ＡＯ　は点鼻薬その他薬用液等が充填された容器である。
【０００８】
取付キャップＡは、側周壁１と上壁２とを具えており、側周壁１の内周には、容器ＡＯ　の口筒部外周に設けたねじに螺合するねじ３が螺設されている。
上壁２の上面には、外周縁に沿って案内筒４が立設されており、中央部には、ポンプＢの取付部材５が設けられている。
取付部材５の頂壁には、案内筒６が立設されており、内周縁には、ステム案内リング７が連設されている。
【０００９】
ポンプＢは、シリンダーＢ１とピストン部材Ｂ２とを具えており、シリンダーＢ１上端の取付部８は、取付部材５に取着されており、下端には、吸込みパイプ９が垂設されている。
【００１０】
ピストン部材Ｂ２のピストン部は、シリンダーＢ１内に内蔵されており、ポンプＢの内部構造は、ノズル部材Ｃの操作に応じて容器ＡＯ　の薬用液等を吸上げ、ノズルから噴霧できるものであればよく、従来公知のものであるので説明を省略する。
【００１１】
ピストン部材Ｂ２の上端は、吐出筒１０となっており、吐出筒１０には、上端に縮径部１１を設けたステム１２が嵌着されている。
【００１２】
図１，２に示すように、ノズル部材Ｃは、ノズルヘッド１５と、ノズルヘッド１５から垂下し、内部を中空室１６とした連結筒１７と、ノズルヘッド１５外周に連設されたノズル外装部材１８とを具えている。
ノズルヘッド１５の頂壁１９には噴出孔２０が穿孔されており、中空室１６は頂壁１９内面と連結筒１７の小径部２１内周によって形成されるヘッド内室２２と、その下方の大径部２３とからなっている。
中空室１６内には、ヘッド内室２２に嵌合されるヘッド内筒２４を上端部とした円筒状の嵌挿筒２５が嵌挿されており、嵌挿筒２５の内部には、ヘッド内筒２４に連通する液流路２６が穿孔されている。
【００１３】
図３に示すように、ヘッド内筒２４には、液流路２６から径方向に延びる連通孔２７が穿孔されており、ヘッド内筒２４外周には、連通孔２７に続き、上方に延びる流通路２８が設けられている。
ヘッド内筒２４の上端面には、流通路２８に連続するスピン溝２９が設けられており、スピン溝２９の上端面３０は、ノズルヘッド１５の頂壁１９に当接し、連通孔２７に連続する流通路２８、スピン溝２９によって、ヘッド内室２２の内壁面との間で噴出孔２０に至る噴出流路が形成されるようになっている。
【００１４】
ヘッド内筒２４の下端部外周には、膨出環３１が設けられ、連結筒１７の小径部２１内周に係合するようにしており、嵌挿筒２５の下端には拡径部３２が形成されており、連結筒１７の大径部２３内周との間で一定の締め代をもって嵌合されるようになっている。
図２に示すように、連結筒１７の下端部は嵌合部３３となっており、嵌挿筒２５との間に間隙３４を残してステム１２の縮径部１１に嵌着されるようになっている。
また、ステム１２に縮径部を設けない場合には、嵌合部３３内周を拡大して嵌着するようにしてもよい。
【００１５】
図２に示すように、ノズル外装部材１８は、ノズルヘッド１５に続いて細長の略円錐状に延び、下端部を円筒３５としたノズル外筒３６と、下端部の円筒３５に連設され、水平方向に延びる押圧プレート３７とからなっており、押圧プレート３７の下面には、案内筒３８が垂設されている。
ノズル外筒３６の下端部の円筒３５は、取付キャップＡの案内筒６外周に案内され、案内筒３８は、取付キャップＡに立設された案内筒４に摺接して案内されるように位置している。
【００１６】
次に、本発明スプレーノズルの作用効果について説明する。
本発明のスプレーノズルは、取付キャップＡに装着されたポンプＢのステム１２に、ノズル部材Ｃの連結筒１７の嵌合部３３を嵌合するようにノズル部材Ｃを取着し、取付キャップＡを、点鼻薬その他の薬用液等を充填した容器Ａ０　にパッキンを介して螺着することによって得られる。
【００１７】
ノズル部材Ｃの組立にあたって、まず、連結筒１７の中空室１６に、嵌挿筒２５をヘッド内筒２４の上端面３０がノズルヘッド１５の頂壁１９内面に当接するまで押込まれる。
その際、嵌挿筒２５のヘッド内筒２４は、連結筒１７の小径部２１に嵌合し、膨出環３１が小径部２１内周に係合して噴出流路を密封するとともに、噴出圧の上昇等による嵌挿筒２５の後退を阻止するように作用する。
【００１８】
また、拡径部３２は、一定の締め代をもって大径部２３に嵌合するので、膨出環３１の作用と相まって嵌挿筒２５の後退を阻止し、定位置に嵌合保持するようになっている。
【００１９】
スプレーノズルの使用にあたって、オーバーキャップ（図示しない）を取外し、ノズル部材Ｃのノズル外装部材１８の押圧プレート３７を押下げると、ポンプＢのピストン部材Ｂ２が押下げられ、薬用液等をノズルヘッド１５の噴出孔２０より噴霧することができる。
【００２０】
次いで、押圧プレート３７から手を離すと、ポンプＢ内に弾装されたばねの付勢により、ノズル部材Ｃが上昇し、容器ＡＯ　内の薬用液等が吸込みパイプ９を通じてポンプＢのシリンダーＢ１内に吸上げられる。
【００２１】
押圧プレート３７の押下げにあたっては、嵌挿筒２５は、拡径部３２によって定位置に保持されるとともに、嵌挿筒２５下端とステム１２の上端との間に間隙を設けているので、ステム１２による押上げ力を受けることがなく、ヘッド内筒２４の上端面３０とノズルヘッド１５の頂壁１９との間に押圧力を作用させない。　また、ノズル外筒３６の下端部円筒３５が案内筒６に、案内筒３８が案内筒４によって案内されるので、押下げ時に、押圧プレート３７が傾斜することなく上下動案内が正確に行える。
【００２２】
前記実施形態では、中空室１６に小径部２１と大径部２３を設け、嵌挿筒２５の下端に拡径部３２を設けたが、中空室１６と嵌挿筒２５に段を設けないで双方をストレートな円形とし、嵌合させるようにしてもよい。
【００２３】
前記実施形態では、スピン溝２９をヘッド内筒２４上端に設けたが、ノズルヘッド頂壁１９下面に設けてもよい。
また、噴出孔、スピン溝の形状等、ノズルヘッドの形状を変えることによって、噴霧パターン等を変えることができる。
【００２４】
【発明の効果】
本発明は、上記のように構成されているから、次の効果を奏する。
ノズルヘッドの頂壁に、ヘッド内筒の上端面を当接するように嵌挿筒を連結筒の中空室に嵌挿しているので、嵌挿筒をノズルヘッドに対して容易かつ正確に位置合わせできるようになった。
そのため、ノズルヘッドの頂壁とヘッド内筒との間に噴出流路を正確に形成できるようになった。
【図面の簡単な説明】
【図１】本発明スプレーノズルの一部断面立面図である。
【図２】ノズルの断面立面図である。
【図３】嵌挿筒の説明図で、（ａ）は上面図、（ｂ）は断面立面図である。
【符号の説明】
Ａ　　取付キャップ
ＡＯ　　容器
Ｂ　　ポンプ
Ｂ１　シリンダー
Ｂ２　ピストン部材
Ｃ　　ノズル部材
１　　側周壁
２　　上壁
３　　ねじ
４，６，３８　　案内筒
５　　取付部材
７　　ステム案内リング
８　　取付部
９　　吸込みパイプ
１０　吐出筒
１１　縮径部
１２　ステム
１５　ノズルヘッド
１６　中空室
１７　連結筒
１８　ノズル外装部材
１９　頂壁
２０　噴出孔
２１　小径部
２２　ヘッド内室
２３　大径部
２４　ヘッド内筒
２５　嵌挿筒
２６　液流路
２７　連通孔
２８　流通路
２９　スピン溝
３０　上端面
３１　膨出環
３２　拡径部
３３　嵌合部
３４　間隙
３５　円筒
３６　ノズル外筒
３７　押圧プレート
【図１】
2004033830.tif 000003
【図２】
2004033830.tif 000004
【図３】
2004033830.tif 000005